(57)【要約】    【課題】  電源ラインの煩雑さを解消することのできる、輸液用スタンドを提供すること。    【解決手段】  輸液用スタンド１０は、脚部２と、脚部２上に設けられていてこれに複数の輸液ポンプ等の輸液装置８を装着可能な支柱１と、支柱１に設けられていて液体容器９保持可能な液体容器保持部３とからなり、複数の輸液装置８に対して同時に電源供給可能な多重電源供給構造５が設けられている。多重電源供給構造５としては、必要数以上に分岐され、かつ適宜の位置および態様にて分岐された電源コードを用いる。多重電源供給構造５は、支柱１の内部に内臓される。【選択図】  図１
2012010718.tif 000002
【特許請求の範囲】
【請求項１】
脚部と、該脚部上に設けられていてこれに複数の輸液装置を装着可能な支柱と、該支柱に設けられていて液体容器保持可能な液体容器保持部とからなる輸液用スタンドであって、複数の該輸液装置に対して同時に電源供給可能な多重電源供給構造が設けられていることを特徴とする、輸液用スタンド。
【請求項２】
前記多重電源供給構造は、複数の輸液装置接続用端子に分岐された構造を備えた電源コードであることを特徴とする、請求項１に記載の輸液用スタンド。
【請求項３】
前記電源コードは前記支柱内に内蔵されていて、そのうち前記輸液装置接続用端子は該支柱の外側に露出していることを特徴とする、請求項２に記載の輸液用スタンド。
【請求項４】
前記複数の分岐された輸液装置接続用端子の態様はプラグであり、それぞれ前記支柱上から引き出された状態で、または引き出し可能な状態であることを特徴とする、請求項３に記載の輸液用スタンド。
【請求項５】
前記複数の分岐された輸液装置接続用端子の態様はコンセントであり、二以上の該コンセントの設けられたタップが一または二以上設けられていることを特徴とする、請求項３に記載の輸液用スタンド。
【請求項６】
前記支柱は二以上設けられていて、各支柱は連結されていることを特徴とする、請求項１ないし５のいずれかに記載の輸液用スタンド。
【請求項７】
前記輸液装置を複数横方向に並置して装着することの可能な並置台部が設けられていることを特徴とする、請求項１ないし５のいずれかに記載の輸液用スタンド。
【発明の詳細な説明】
【技術分野】
【０００１】
本発明は輸液用スタンドに係り、特に医療現場において、重症患者等に複数の点滴が必要な場合に、電源ラインによるベッド周辺の煩雑さを有効に解消することのできる、輸液用スタンドに関するものである。
【背景技術】
【０００２】
特に重症患者等の医療現場において、点滴静脈注射を行う際の利便性と安全性を高める医療機器である輸液ポンプ、シリンジポンプ等は、輸液用スタンド（点滴スタンド）に固定されて使用される。従来の輸液用スタンドは、点滴機器（輸液ポンプ、シリンジポンプ）の固定と移動が主な目的であり、使用台数分の電源コードが必要となる。
【０００３】
図５は、従来の輸液用スタンドの使用状態を示す説明図である。図示するように重症患者を対象とする医療においては、１台の輸液用スタンド５１０に多数の輸液ポンプ５８Ａ、５８Ｂ、・・・やシリンジポンプ等を装着して使用するケースが少なくない。一台のスタンドで５台から１０台と多数の点滴機器を使用する場面は日常的であるといえる。また、各ポンプ５８Ａ等には個々別々に電源ライン５７Ａ、５７Ｂ、・・・が必要であるため、設けられる電源ラインの数は自然と多くなる。また、ポンプ５８Ａ等の重量は通常、４脚や５脚のキャスターを備えた脚部５２により支えられている（図５参照）。
【０００４】
さて、かかる輸液用スタンドについては、従来さまざまな技術的提案がなされている。たとえば後掲特許文献１は、輸液ポンプを輸液用スタンドに着脱する際の取り付け作業を簡単にでき、複数の輸液ポンプを容易に固定することができる輸液用スタンドとして、所定の金具と、これに嵌合するスタンド載置台上の孔部、およびこれらを係合させるレバーを備えた構成を開示している。また特許文献２は、移動が容易で場所をとらず、コンパクトに収納できる輸液用スタンドとして、輸液剤、輸液ポンプおよび輸液セットを収納可能な輸液スタンド本体を備えた構成を開示している。
【先行技術文献】
【特許文献】
【０００５】
【特許文献１】特開平１１−１３７６８０号公報「輸液ポンプ及び輸液ポンプ用スタンド」
【特許文献２】特開２００１−１１２８４９号公報「輸液スタンド」
【発明の概要】
【発明が解決しようとする課題】
【０００６】
しかしながらこれら特許文献に開示されている技術も含め、従来の輸液用スタンドには次のような問題があった。
（ａ）図５は、従来の輸液用スタンドの使用状態を示す説明図である。図示するように重症患者を対象とする医療においては、１台の輸液用スタンド５１０に多数の輸液ポンプ５８Ａ、５８Ｂ、・・・やシリンジポンプ等を装着して使用するケースが少なくない。各ポンプ５８Ａ等には個々別々に電源ライン５７Ａ、５７Ｂ、・・・が必要であるため、設けられる電源ラインの数が多くなってしまい、電源コードの複雑な絡み合いも生じ、患者のベッド周辺が煩雑になってしまう。また、電源コードで足の踏み場のない状態にもなる。このことは、医療の効率性の低下のみならず、医療過誤の危険性の増大やラインに身体や物品が引っ掛かったりして、患者から点滴の針が脱ける等の事故の発生や、スタンド５１０が転倒する等の危険性の増大も招く。
【０００７】
（ｂ）前述のように医療現場では、一台の輸液用スタンドで５台から１０台と多数の点滴機器を使用する場面は日常的である。各ポンプ等はそれぞれ相当の重量であるため、スタンドが４脚から５脚のキャスターによって支えられていることとも相俟って、ポンプ等の装着数が多くなるほど輸液用スタンドの安定性が低下し、転倒の危険性が増大する。また、患者が輸液用スタンドを伴って移動する場合、僅かな段差の存在や、障害物・対向歩行者の回避の際、さらにカーブや方向転換の際にも、スタンド転倒の危険性、ひいては患者自身の転倒の危険性も増大する。
【０００８】
そこで本発明が解決しようとする課題は、かかる従来技術の問題点を踏まえ、電源ラインの煩雑さを解消することのできる、輸液用スタンドを提供することである。さらに本発明の課題は、輸液ポンプ等を複数装着する場合でも安定性を高めることのできる、輸液用スタンドを提供することである。
【課題を解決するための手段】
【０００９】
本願発明者は上記課題について検討した結果、輸液用スタンドに電源コードを複数内蔵させるという着想に基づいて、外観的にもすっきりさせるとともに、課題解決が可能であることに想到し、本発明に至った。すなわち、上記課題を解決するための手段として本願で特許請求される発明、もしくは少なくとも開示される発明は、以下の通りである。
【００１０】
（１）  脚部と、該脚部上に設けられていてこれに複数の輸液装置を装着可能な支柱と、該支柱に設けられていて液体容器保持可能な液体容器保持部とからなる輸液用スタンドであって、複数の該輸液装置に対して同時に電源供給可能な多重電源供給構造が設けられていることを特徴とする、輸液用スタンド。
（２）  前記多重電源供給構造は、複数の輸液装置接続用端子に分岐された構造を備えた電源コードであることを特徴とする、（１）に記載の輸液用スタンド。
（３）  前記電源コードは前記支柱内に内蔵されていて、そのうち前記輸液装置接続用端子は該支柱の外側に露出していることを特徴とする、（２）に記載の輸液用スタンド。
【００１１】
（４）  前記複数の分岐された輸液装置接続用端子の態様はプラグであり、それぞれ前記支柱上から引き出された状態で、または引き出し可能な状態であることを特徴とする、（３）に記載の輸液用スタンド。
（５）  前記複数の分岐された輸液装置接続用端子の態様はコンセントであり、二以上の該コンセントの設けられたタップが一または二以上設けられていることを特徴とする、（３）に記載の輸液用スタンド。
（６）  前記支柱は二以上設けられていて、各支柱は連結されていることを特徴とする、（１）ないし（５）のいずれかに記載の輸液用スタンド。
（７）  前記輸液装置を複数横方向に並置して装着することの可能な並置台部が設けられていることを特徴とする、（１）ないし（５）のいずれかに記載の輸液用スタンド。
【発明の効果】
【００１２】
本発明の輸液用スタンドは上述のように構成されるため、これによれば、電源ラインの煩雑さを解消することができる。つまり、一台のスタンドで複数の機器を使用する際においても、電源ラインがきれいに整理される。典型的な本発明実施例でいえば、スタンド支柱に複数の点滴ポンプ機器用の電源ラインが内蔵されているため、複数の点滴ポンプを使用しても電源接続ラインが複雑になることがない。
【００１３】
なお、電源ラインがきれいに整理されることにより、患者・ベッド周辺から不用な電源コードがなくなるため、輸液製剤交換時における過誤の発生や点滴チューブの脱け等の事故発生、さらに重大な医療事故への連鎖の発生の予防にもなる。また、電源ラインがきれいに整理されることは、ラインへの身体・物品の引っ掛かりによる輸液用スタンド転倒事故や、患者がスタンドを伴って移動する際の転倒等の事故予防にもつながる。
【００１４】
また、支柱を二以上設けることとする本発明輸液用スタンドによれば、輸液ポンプ等を複数装着する場合であっても、設置の安定性を高めることできる。つまり、重症患者など一台のスタンドでたとえば１０台近い機器を使用するような場合であっても、スタンドが不安定になって転倒したり、移動時にスタンドまたは患者自身が転倒することを有効に予防することができる。
【図面の簡単な説明】
【００１５】
【図１】本発明輸液用スタンドの基本構成を示す説明図である。
【図２】本発明輸液用スタンドの第一の実施例を示す説明図である。
【図３】本発明輸液用スタンドの第二の実施例を示す説明図である。
【図４】本発明輸液用スタンドの第三の実施例を示す説明図である。
【図５】従来の輸液用スタンドの使用状態を示す説明図である。
【発明を実施するための形態】
【００１６】
以下、図面により本発明を詳細に説明する。
図１は、本発明輸液用スタンドの基本構成を示す説明図である。図示するように本輸液用スタンド１０は、脚部２と、脚部２上に設けられていてこれに複数の輸液ポンプ等の輸液装置８を装着可能な支柱１と、支柱１に設けられていて液体容器９保持可能な液体容器保持部３とからなり、複数の輸液装置８に対して同時に電源供給可能な多重電源供給構造５が設けられていることを、主たる構成とする。
【００１７】
かかる基本構成により、本輸液用スタンド１０では、支柱１に複数の輸液装置８、８、・・・が装着され、液体容器保持部３に液体容器９が吊り下げ等保持されて使用可能な状態となっている場合において、設けられた単独の多重電源供給構造５から、複数の全輸液装置８、８、・・・に対して同時に電源が供給される。つまり多重電源供給構造５が一つ設けられていることにより、全輸液装置８、８、・・・に対する個々別々の電源供給がなされる必要が無く、したがって個々別々の電源ライン（コード）を接続する必要が無くなり、電源ラインの煩雑さが解消される。
【００１８】
図示するように、また後述するように、多重電源供給構造５は支柱１内部に内臓したものとすることができるが、本発明はかかる構成に限定されるものではない。たとえば、多重電源供給構造を支柱１表面に設けたり、脚部２に設けたりする構成も、本発明からは除外されない。しかしながら、輸液装置８が支柱１の任意の各所に装着されて用いる場合には、支柱１において多重電源供給構造５を設けること、特に支柱１に内蔵する構成とすれば便利である。
【００１９】
図示するように本発明輸液用スタンド１０の多重電源供給構造５は、複数の輸液装置接続用端子６、６、・・・に分岐された構造を備えた電源コードという態様をとる。なお、図中符号４は、多重電源供給構造５の電源側接続端子である。分岐数は特に限定されない。また、多重電源供給構造５上における分岐の位置や、電源コード上での分岐位置における分岐数、さらに分岐された各端子がどのように離間しているかあるいは集合しているかといった分布状態など分岐の態様も、特に限定されない。
【００２０】
図２は、本発明輸液用スタンドの第一の実施例を示す説明図である。図示するように輸液用スタンド２１０の多重電源供給構造２５たる電源コードは、支柱２１内に内蔵されていて、そのうち輸液装置接続用端子２６、２６、・・・は支柱２１の外側に露出した構成とすることができる。かかる構成により、輸液装置２８等は、支柱２１の外側に輸液装置接続用端子２６により容易に接続され、電源供給がなされる。
【００２１】
つまり図示するように、一台の輸液用スタンド２１０に複数に分岐された電源コード（２５）が内蔵され、そこから分岐した輸液装置接続用端子２６が直接輸液装置２８の電源部と接続される。前掲図５に示したように従来は、輸液装置の装着・使用台数分の電源ラインがコンセントに差し込まれる必要があったが、本発明によれば、本発明は、輸液用スタンド２１０からは電源側接続端子２４を備えた一本の電源コードのみがコンセントに差し込まれるだけでよい。
【００２２】
図２に示すように、複数の分岐された輸液装置接続用端子２６の態様は、輸液装置２８の電源部に接続可能な仕様のプラグとし、それぞれの端子２６が支柱２１上の異なる箇所から引き出された状態で、または引き出し可能な状態で設けるものとすることができる。
【００２３】
だが、本発明の輸液装置接続用端子の構成は、プラグ状の形態に限定されない。
図３は、本発明輸液用スタンドの第二の実施例を示す説明図である。図示するように本例の輸液用スタンド３１０は、複数の分岐された輸液装置接続用端子３６の態様をコンセントとし、二以上のコンセントの設けられたタップ３５が一または二以上、支柱３１など本スタンド３１０上に設けられた構成である。かかる構成により、輸液装置３８は輸液装置接続用の電源コード３７によりタップ３５上の輸液装置接続用端子３６（コンセント）と接続されることで、電源供給を得る。
【００２４】
なおタップの取り付け位置は、図示するように支柱３１上が適しているが、一つのみ設けられるタップが、あるいは二つ以上設けられるうちの一つ以上のタップが、支柱３１以外の位置に設けられる構成であってもよい。たとえば脚部３２を取り付け位置とする構成も、本発明からは除外されない。
【００２５】
図４は、本発明輸液用スタンドの第三の実施例を示す説明図である。図示するように本例の輸液用スタンド４１０は、支柱４１が二以上設けられ、各支柱４１、４１、・・・が連結部材４Ｊによって連結されている構成である。図には支柱４１が二本設けられてなる例を示すが、三本以上であってもよい。
【００２６】
連結部材４Ｊとしては、図示するように二以上の支柱４１間を繋いで固定される棒状部材を用いることができる。連結部４Ｊは、二以上の支柱４１を相互に連結することによって、それぞれに複数装着され得る輸液装置４８の重量による不安定さを軽減するためのものである。したがって、かかる作用効果を奏することができる限り、棒状部材には限定されず、板状部材でも、紐状部材でも、その他の連結手段でもよい。また、連結部材４Ｊを設ける位置や設置数も限定されない。また、図中の連結部材はみな同じ符号４Ｊにて示されているが、連結部材の具体的構造・仕様などに、少なくとも一部の連結部材間において相違がある場合も、本発明の範囲内である。
【００２７】
かかる構成により、輸液用スタンド４１０は安定性が向上する。つまり、多数の点滴機器を同時に使用する場合も、また患者がスタンドを伴って移動する際にも、安定性を保ち安心した状態で使用することができる。なお、輸液用スタンド４１０全体としての安定性を高められる程度に、各支柱４１、４１間の間隔をとった状態で、本スタンドを構成すればよい。また、図中の支柱はみな同じ符号４１にて示されているが、支柱の具体的構造・仕様などに、少なくとも一部の支柱間において相違がある場合も、本発明の範囲内である。
【００２８】
なお、図示しないが、輸液装置を複数台数横方向に並置して装着することのできる並置台部を、支柱に備えた輸液用スタンド、または備え付けることのできる輸液用スタンドとしてもよい。
【産業上の利用可能性】
【００２９】
本発明の輸液用スタンドによれば、電源ラインの煩雑さを解消し、また安定性を増すことができ、転倒等の事故発生を有効に防止することができる。つまり、電源コードの簡素化により、加えて輸液用スタンドの安定性の高い構造により、医療事故の有効な防止につながるものでもある。したがって、病院・診療所だけでなく在宅も含め、特に医療産業分野、介護福祉産業分野において産業上利用性が高い発明である。
【符号の説明】
【００３０】
１、２１、３１、４１…支柱
２、２２、３２、４２…脚部
３、２３、３３、４３…液体容器保持部
４、２４、３４…電源側接続端子
５、２５、３５…多重電源供給構造
６、２６、３６、４６…輸液装置接続用端子
８、２８、３８、４８…輸液装置
３５…タップ
３７…輸液装置接続用の電源コード
９…液体容器
１０、２１０、３１０、４１０…輸液用スタンド
４Ｊ連結部材
５１…支柱
５２…脚部
５３…液体容器保持部
５７Ａ、５７Ｂ、５７Ｃ、５７Ｄ、５７Ｅ、５７Ｆ…電源ライン
５８Ａ、５８Ｂ、５８Ｃ、５８Ｄ、５８Ｅ、５８Ｆ…輸液ポンプ等
５１０…輸液用スタンド
５５０…電源タップ
【図１】
2012010718.tif 000003
【図２】
2012010718.tif 000004
【図３】
2012010718.tif 000005
【図４】
2012010718.tif 000006
【図５】
2012010718.tif 000007